(57)【要約】【課題】  固定具を全て打ち尽くしてしまってからでも、今まで使っていた釘のサイズは何であったかなどが直ぐに分かるような、連結固定具用の連結具を提供することを課題とする。【解決手段】  多数の釘やリベットなどの固定具を並列状に連結する連結固定具の連結具に於いて、この連結具が、この連結具で連結する固定具の種類毎に色分けして着色されているカラー連結具であると共に、固定具の種類と前記色とを一対一対応させて記載した対照表を備えるようにした。落ちている連結具が何色であるかを見さえすれば、この固定具の種類やサイズが直ぐに分かると言うものである。【選択図】図１
2009092230.tif 000002
【特許請求の範囲】
【請求項１】
多数の釘やリベットなどの固定具を並列状に連結する連結固定具の連結具であって、この連結具はこの連結具で連結する固定具の種類毎に色分けして着色されていると共に、固定具の種類と前記色とを一対一対応させて記載した対照表を備えていることを特徴とする、連結固定具のカラー連結具。
【請求項２】
前記連結具の素材そのものが着色されたものである、請求項１に記載の連結固定具のカラー連結具。
【請求項３】
前記連結具がカラー塗装により着色されたものである、請求項１に記載の連結固定具のカラー連結具。
【請求項４】
前記着色部が文字や図柄の印刷に成るものである、請求項３に記載の連結固定具のカラー連結具。
【請求項５】
前記連結具が地面に接触したり土中に埋められたりすることで自然に分解される素材から成るものである、請求項１に記載の連結固定具のカラー連結具。
【発明の詳細な説明】
【技術分野】
【０００１】  この発明は、圧搾空気や可燃ガスの燃焼圧力などを利用した打ち込み工具で用いられる固定具を多数、並列状に連結する連結固定具に於ける、着色された連結具に関するものである。
【背景技術】
【０００２】  ステープルや螺子を含む釘やピンを含むリベットなどは固定具ともファスナーとも呼ばれている。また前記連結具はシートと呼ばれたり、これを捲回するものはロールシートと呼ばれたりしている。また前記連結具には、例えばポリプロピレン樹脂を使用したプラスチック製のもの（実開平０６−０４０４２７号）や、クラフト紙などによる強化紙製のもの（特開２００４−０１１７７３号、特開２０００−２２０６１７号を参照のこと）などがある。連結固定具としてはこのような連結具に複数の固定具を一定間隔で装着してコイル状に捲回したものが一般的である。
【特許文献１】  実開平０６−０４０４２７号公報
【特許文献２】  特開２００４−０１１７７３号公報
【特許文献３】  特開２０００−２２０６１７号公報
【発明の開示】
【発明が解決しようとする課題】
【０００３】  連結固定具は打ち込み工具に装填されて使用されるが、連結具にはその長手方向に一定間隔で送り孔が開孔されており、これに打ち込み工具の送り爪が掛合して固定具を打ち込むごとに１ピッチずつ繰り出されることになる。そして固定具が離脱した連結具は打ち込み工具の外へ排出される。【０００４】  この種連結具に装着される固定具の種類は多様であるため、ユーザーはカタログを見て必要な種類やサイズのものを注文する。また実際の作業に於いては所要の固定具が装着された連結固定具を予め準備しておいてから作業に取り掛かる。しかしながら固定具を全て打ち尽くしてしまってから補充の必要性を感じて補充しようにも、さて今使っていた釘のサイズは何であったか、などと分からなくなることが良く起こるのが実状である。こうなると作業は中断を余儀なくされ円滑に行われなくなり大きな損失が発生する。【０００５】  そこでこの発明は、例え固定具を全て打ち尽くしてしまってからでも、今まで使っていた釘のサイズは何であったかなどが直ぐに分かるようにすることを課題とする。
【課題を解決するための手段】
【０００６】  上記課題の解決に先立ち当発明者は、固定具が打ち尽くされて空になった連結具が建築現場に散乱している点に着目することにより、上述した課題が解決出来ると言う知見を得た。【０００７】  すなわち上記課題は、多数の釘やリベットなどの固定具を並列状に連結する連結固定具の連結具に於いて、この連結具はこの連結具で連結する固定具の種類毎に色分けして着色されていると共に、固定具の種類と前記色とを一対一対応させて記載した対照表を備えるようにすることによって達成される。【０００８】  ユーザーは床に散乱している連結具が何色であるかを見て、これと同じ色の連結具による連結固定具を補充すれば良いのである。落ちている連結具が何色であるかを見さえすれば、この固定具の種類やサイズが一目瞭然と成るのである。これには連結固定具の種別と連結具の色とを一対一対応させて、その色を印刷した対照表を用意しておくのである。そして前記連結具と同じ色をこの対照表上で探すことによってこの色に対応する固定具の型番等固定具を特定するものが知られると言うわけである。これを逆に固定具に着目したとしても、打ち込まれた固定具を見てその種別を言い当てるのは非常に難しい。従ってこの発明の効果は絶大であり大きな作業ロスがなくなるのである。なお熟練により対照表を用いなくとも連結具の色から直ぐに固定具の種類を言い当てることが出来るようになるものである。【０００９】  なお対照表に記載される固定具を特定し得る項目以外にも任意項目を記載して良い。また対照表のデザインなども自由に行って良い。なおこの発明の連結具に釘やリベットなどの固定具を装着して成る連結固定具もまたこの発明の権利範囲内のものである。【００１０】  次に前記連結具の素材そのものが着色されたものとすることが出来る。これには、例えば連結具がプラスチック成型に成るものの場合ではプラスチック原料に着色が施されたものを用いれば良いし、また例えば連結具がクラフト紙を積層して成るものではクラフト紙を染料に浸したものなどを使用すれば良い。【００１１】  次に前記連結具がカラー塗装により着色されたものとすることが出来る。この着色には例えば吹き付け塗装や静電塗装などが任意に利用し得る。なお文字や図柄を印刷することでも前記着色部を形成することが出来る。ブランド名を帯状に連続させて印刷するなどの工夫も可能である。【００１２】  次に前記連結具が地面に接触したり土中に埋められたりすることで自然に分解される素材から成るものとすることが出来る。上述したように固定具が離脱した連結具は打ち込み工具の外へ排出される。このようにして固定具が打ち尽くされると空になった連結具が建築現場に散乱するようになるため、これは産業廃棄物として適正に処理されなければならない。このような連結具は一般的にプラスチック製のものであるため、焼却処分を行うとダイオキシンなどの有害物質を発生するなどの問題がある。また紙製の連結具の場合には焼却時に発する高熱によって焼却炉を傷めてしまうなどの欠点がある。またこれ等のリサイクルを行うためには多額の費用が掛かると言う問題もある。【００１３】  これに付いてこの発明では、連結具の素材に地面に接触したり土中に埋められたりすることで��然に分解されるものを用いることにより、上述したような課題を達成する。すなわち連結具は、通常の使用状態すなわち保管箱に入れられていたり打ち込み工具に装填されている場合には十分にその品質を保つことが出来るが、地面に触れたり穴を掘って土中に埋められたりした場合には微生物の作用などによりたちまち分解を開始して最終的に土壌中へ同化してしまう。完全に分解された場合には水と二酸化炭素に変換される。従って普通に廃棄することが出来るわけであり、焼却処分やリサイクル処理を行う必要がなくなっている。【００１４】  このように自然に分解される素材として生分解性プラスチックを用いることが可能である。これにはポリカプロラクタム、ポリ乳酸、変性ポリビニルアルコール、カゼイン等々がある。カーボンニュートラルなものはバイオマス（生物資源）プラスチックと呼ばれることがある。市販されている生分解性プラスチックの商品名の一例として、Ｎｏｖａｍｏａｔや日本合成化学工業のマタービー（商標）、ＩＣＩのバイオポール（商標）、ワーナーランバートのノヴォン（商標）、島津製作所のラクティー（商標）、三井東圧工業のレイシア（商標）、ＵＣＣのポリカプロラクタン（商標）、日本ポリオレフィンのビオノーレ（商標）等々がある。これ等や将来新たに登場する素材をこの発明に適用して良い。
【発明の効果】
【００１５】  この発明の連結具によれば、連結具で連結する固定具の種類毎に色分けして着色されていると共に、固定具の種類と前記色とを一対一対応させて記載した対照表を備えているものであるため、落ちている連結具が何色であるかを見て対照表に照らし合わせるだけで必要な固定具が何であるかが一目瞭然となり、作業を滞りなく円滑に進めることが出来ると言う効果を奏する。
【発明を実施するための最良の形態】
【００１６】  第１実施形態
この実施形態の連結具を図１乃至図３で表わす。図１はこの連結具１を斜視図にて表わしたものであるが、着色ベース１０の両縁部は着色ベース１０にほぼ直角に折り曲げられると共に、等間隔に設けられた切欠部１４によって着色タブ１１が形成されており、着色ベース１０から着色タブ１１への断面形状は略コ字形状を呈している。また各々の着色タブ１１には釘を装着するための装着孔１３が、着色ベース１０とは反対側の縁部に設けられた切欠部１５によって釘を離脱させ得るように形成されている。また前記着色ベース１０には長手方向に向けて等間隔に、打ち込み工具の送り爪を掛合させるための送り孔１２が形成されている。そしてこの連結具１は着色された原料プラスチックから成型されて成るものであり、このような連結具１と、この連結具１を着色したカラー（この連結具１で連結する固定具の種類やサイズなどの違い毎に色分けするためのカラー）から該当する品番を探すための対照表２をセットにして成るものである。【００１７】  図３はこの連結具１の２つの着色タブ１１，１１の装着孔１３，１３に釘Ｎが装着されて成る連結釘を表わしたものであり、連結具１の部分を断面図にて示している。打ち込み工具に装着されたこの連結釘は、連結具１の着色ベース１０の送り孔１２に掛合する送り爪によって１ピッチずつ繰り出されるようになっている。いま打ち込み工具の射出部に位置する釘Ｎはピストン等で駆動されるドライバによってそのヘッドが打たれると、前記切欠部１５により装着孔１３から離脱させられて装着孔１３は空になる。なおここでは角先の釘が用いられている例が説明されているが、釘がネジである場合は対応する打ち込み工具のビットによって打ち込みが行われ、この場合でもネジ釘は装着孔１３から離脱させられることになる。【００１８】  さて釘が打ち尽くされて空になった連結具１は床上に落とされるが、釘を全て打ち尽くしてしまってから補充の必要性を感じた時に、今使っていた釘のサイズが何であったかが分からない場合には、床上に落ちている連結具１が何色であるかを見て、カタログなどの対照表２にあるカラー表示部２０のカラーに一致する行を見ればその品番を知ることが出来るので、これと同じ色の連結具４による連結釘を補充すれば良いのである。図２の例ではＡ３４５６７であることが一目瞭然である。【００１９】  第２実施形態
この実施形態の連結具を図４の側面図にて表わす。連結具３は複数個の釘Ｎを斜めに並列に整列させ、この釘Ｎを、紙テープから成る２枚のベース３０の間に挟み付けるようにして貼り付けて連結釘と為したものである。連結具３の釘Ｎと釘Ｎとの間には、打ち込み工具のヘッドによって釘Ｎの頭が打たれた時に連結具３が切断を案内することが出来るようにミシン目３１が設けられている。また２枚のベース３０の表面にはブランド名などを色付文字として帯状に印刷した色付文字帯が幾条も形成されている。なお上述した第１実施形態と同様に、この連結釘は対照表２をセットにして成るものであるが、繰り返しの説明になるためここでは対照表２の図示と説明とを省略する。【００２０】  この実施形態の連結具３は使用によってミシン目３１から破断して飛散する。従って床上に飛散している連結具３のカラーが何色であるかを見て、カタログなどの対照表２にあるカラー表示部２０のカラーに一致する行を見ればその品番を容易に知ることが可能である。【００２１】  第３実施形態
この実施形態の連結具を図５及び図６で表わす。図５はこの連結具４を断面図にて示したものであるが、斜視図的には上述の第１実施例が参考になるためここでは斜視図にて図示することを省略している。ベース４０の両縁部はベース４０にほぼ直角に折り曲げられると共に、等間隔に設けられた切欠部（図１を参照すればこの切欠部１４と同じもの）によってタブ４１が形成されており、ベース４０からタブ４１への断面形状は略コ字形状を呈している。また各々のタブ４１には釘を装着するための装着孔４３が、ベース４０とは反対側の縁部に設けられた切欠部４５によって釘を離脱させ得るように形成されている。また前記ベース４０には長手方向に向けて等間隔に、打ち込み工具の送り爪を掛合させるための送り孔４２が形成されている。そしてこの連結具４には、地面に接触したり土中に埋められたりすることで自然に分解される素材として生分解性プラスチックが用いられている。【００２２】  また特にこの実施形態ではベース４０とタブ４１，４１の表面に生分解性塗膜４４が設けられている点が特徴である。このように構成された連結具のタブ４１，４１の装着孔４３，４３にリベットＬを装着して連結リベットを得る。すなわちこの生分解性塗膜４４のカラーによって対応するリベットＬの種類が明確に示されるのである。【００２３】  ところでリベットＬが最後の１本まで打ち尽くされて空になった連結具４は廃棄されることになる。図６で表わしたように連結具は土に触れるまでは変質することはないが、土に触れたり土中に埋められたりすると微生物の作用などによりたちまち分解を開始して最終的に土壌中へ同化して自然へ帰るのである。なお連結具４はバイオマス由来のものとすることが出来るが、この場合も上記同様に土中で分解されて自然に帰る。従って産業廃棄物としての処理が不要であり、焼却処分やリサイクル処理も不要であり、建築現場にとっては極めて都合の良いものとなっている。【００２４】  このように打ち込み工具から排出された連結具はそのまま土中に埋めることが可能なわけであるが、使用量が僅かであるとはいえこの着色に用いられる塗料も土に帰る性質のものである方がより好ましくある。このためこの実施形態ではカラー化に生分解性塗料を用いているのであり、生分解性塗膜４４も連結具４と同様に分解して土壌中へ同化し自然へ帰るのである。なおこの連結具４に於いても図示しない対照表が用いられる。また前記生分解性塗膜４４は連結具４の全面を覆っていても良く、一部分に着色されているのであっても良い。またベタで塗装されることもあれば、上述した第２実施形態のように文字や図形として印刷されることもある。
【産業上の利用可能性】
【００２５】  なおこの発明の連結具の着色に蛍光顔料や蛍光塗料を用いて、暗がりでも発色が良好に視認出来るように設計することが可能である。またこれまで図１の形態の連結具や図４の形態の連結具を説明して来たが、従来の針金に釘等の固定具を接着して成る形態のものも提供可能である。また上述した各種連結具の形状等の設計は自由である。
【図面の簡単な説明】
【００２６】
【図１】  第１実施形態の斜視図である。
【図２】  対照表５の説明図である。
【図３】  連結具１の断面図である。
【図４】  第２実施形態の側面図である。
【図５】  第３実施形態の断面図である。
【図６】  廃棄されてから自然に帰るまでの状態を表わす流れ図である。
【符号の説明】
【００２７】１    連結具
１０  着色ベース
１１  着色タブ
１２  送り孔
１３  装着孔
１４  切欠部
１５  切欠部
２    対照表
２０  カラー表示部
３    連結具
３０  ベース
３１  ミシン目
３２  色付文字帯
４    連結固定具
４０  ベース
４１  タブ
４２  送り孔
４３  装着孔
４４  生分解性塗膜
４５  切欠部
Ｌ    リベット
【図１】
2009092230.tif 000003
【図２】
2009092230.tif 000004
【図３】
2009092230.tif 000005
【図４】
2009092230.tif 000006
【図５】
2009092230.tif 000007
【図６】
2009092230.tif 000008